(57)【要約】【課題】耳障りな異常音の発生を抑えることができるとともに、生産性の高いクロスフローファンを提供すること。【解決手段】本発明のクロスフローファンは、両端部に設けられた端板と、第１のファン体と、第２のファン体３５ｂとを直列に連結した構成を有し、第１のファン体は、環状に配置された複数枚の翼と、開口部とを有する支持板とを備える一方、第２のファン体３５ｂは、環状に配置された複数枚の翼と、開口部を有しない支持板とを備えており、第２のファン体３５ｂの支持板３５ｂ１の外周部に、溝５０を設ける。【選択図】図１３
2015203361.tif 000002
【特許請求の範囲】
【請求項１】
両端部に設けられた端板と、第１のファン体と、第２のファン体とを、直列に連結した構成を有し、
前記第１のファン体は、環状に配置された複数枚の翼と、開口部とを有する支持板とを備え、
前記第２のファン体は、環状に配置された複数枚の翼と、開口部を有しない支持板とを備え、
前記第１のファン体と前記第２のファン体のいずれか一方の支持板は、外周部に溝が設けられた、クロスフローファン。
【請求項２】
前記支持板は、隣接する翼の端部が差し込まれる挿入溝を複数、備え、
前記溝は、前記挿入溝同士の間に設けられた、請求項１に記載のクロスフローファン。
【請求項３】
前記溝は、前記翼の枚数の１を除く約数となる個数、設けられた、請求項１または２のいずれか１項に記載のクロスフローファン。
【請求項４】
前記溝は、前記挿入溝の凹み方向と同じ方向に凹むとともに、支持板の外周端で開口する、請求項２〜３のいずれか１項に記載のクロスフローファン。
【請求項５】
前記第１のファン体と前記第２のファン体は、軸方向の長さが異なる、請求項１〜４のいずれか１項に記載のクロスフローファン。
【請求項６】
前記第１のファン体の軸方向長さは、前記第２のファン体の軸方向長さの２．７〜３．１倍である、請求項５に記載のクロスフローファン。
【請求項７】
前記クロスフローファンは、複数の第１のファン体と２つの第２のファン体とを備え、前記複数の第１のファン体はそれぞれ同じ軸方向長さであり、前記２つの第２のファン体はそれぞれ異なる軸方向長さである、請求項１〜６のいずれか１項に記載のクロスフローファン。
【請求項８】
前記第２のファン体は、一方の端板に隣接するとともに、他方の端板とは環状に配置された複数枚の翼を介して連結された、請求項１〜７のいずれか１項に記載のクロスフローファン。
【請求項９】
前記開口部は、前記クロスフローファンの回転軸を中心とする円形の開口部である、請求項１〜８のいずれか１項に記載のクロスフローファン。
【発明の詳細な説明】
【技術分野】
【０００１】
本発明は、住宅などの空調に用いられる空気調和機に用いられるクロスフローファンに関するものである。
【背景技術】
【０００２】
従来、室内機の内部にクロスフローファンを備える空気調和機が知られている。当該空気調和機においては、クロスフローファンの両端部を支持する側壁の近傍で摩擦損失が生じ、クロスフローファンの両端部における空気の吹き出し速度が他の部分に比べて小さくなる。このため、不安定空気流や逆吸い込みなどの空気流の乱れ（サージング）が生じ、耳障りな異常音が断続的に発生することがある。
【０００３】
前記空気流の乱れを抑制する技術として、例えば、特許文献１（特開平５−８７０８７号公報）に記載された技術がある。図６は、特許文献１に記載された空気調和機の室内機の内部構造を模式的に示す斜視図である。
【０００４】
図６に示すように、特許文献１の空気調和機の室内機は、クロスフローファン５と、スタビライザ７と、リアガイダ９とを備えている。スタビライザ７とリアガイダ９との間には、空気を吹き出す吹き出し口１１が形成されている。吹き出し口１１には、空気の吹き出し風向を偏向するルーバー１０が設けられている。リアガイダ９の少なくとも一方の端部で且つクロスフローファン５の近傍から吹き出し口１１までの間には、断面形状が略扇型のブロック８が設けられている。ブロック８は、リアガイダ９と成す角度が風上側の面と風下側の面とも小さくなるように形成されている。
【０００５】
特許文献１の空気調和機によれば、ブロック８により、クロスフローファン５の少なくとも一方の端部近傍に発生した空気流の乱れを抑制・整流して、耳障りな異常音を抑えることができる。
【先行技術文献】
【特許文献】
【０００６】
【特許文献１】特開平５−８７０８７号公報
【発明の概要】
【発明が解決しようとする課題】
【０００７】
しかしながら、特許文献１の空気調和機では、ブロック８を設けたことによって、吹き出し口１１の通風抵抗が大きくなる。
【０００８】
また、特許文献１の空気調和機では、クロスフローファン５の両端部近傍で発生した空気流の乱れ（乱れた渦、三次元流れともいう）が、ブロック８によって十分に抑制・整流されずに、クロスフローファン５の中央部側へ伝播し、耳障りな異常音の発生が継続することがある。
【０００９】
本発明の目的は、前記課題を解決することにあって、耳障りな異常音の発生を抑えることができるとともに、生産性の高いクロスフローファンを提供することにある。
【課題を解決するための手段】
【００１０】
前記従来の課題を解決するために、本発明のクロスフローファンは、両端部に設けられた端板と、第１のファン体と、第２のファン体とを、直列に連結した構成を有し、前記第
１のファン体は、環状に配置された複数枚の翼と、開口部とを有する支持板とを備え、前記第２のファン体は、環状に配置された複数枚の翼と、開口部を有しない支持板とを備え、前記第１のファン体と前記第２のファン体のいずれか一方の支持板は、外周部に溝が設けられている。
【発明の効果】
【００１１】
本発明にかかるクロスフローファンによれば、前記構成を有することにより、耳障りな異常音の発生を抑えることができるとともに、生産性も向上させることができる。
【図面の簡単な説明】
【００１２】
【図１】本発明の実施の形態にかかるクロスフローファンを備えた空気調和機の室内機を示す斜視図
【図２】図１の室内機の模式断面図
【図３】図２の部分拡大図であり、クロスフローファンの動作時の空気の流れを示す図
【図４】クロスフローファンの内部構造を示す斜視図
【図５】クロスフローファンを室内機本体が備える側壁に取り付けた状態を模式的に示す正面図
【図６】特許文献１の空気調和機の室内機の内部構造を模式的に示す斜視図
【図７】従来のクロスフローファンの構成を示す断面図
【図８Ａ】図７のクロスフローファンが備える軸側組み立て体の平面図
【図８Ｂ】図８ＡのＡ１−Ａ１線断面図
【図９Ａ】図７のクロスフローファンが備えるファン体の平面図
【図９Ｂ】図９ＡのＡ２−Ａ２線断面図
【図１０Ａ】図７のクロスフローファンが備えるボス側組み立て体の平面図
【図１０Ｂ】図１０ＡのＡ３−Ａ３線断面図
【図１１】本実施の形態に係るクロスフローファンの構成の一例を示す断面図
【図１２Ａ】図１１のクロスフローファンが備える開口部を有するファン体の平面図
【図１２Ｂ】図１２ＡのＡ４−Ａ４線断面図
【図１３】本実施の形態に係る第２のファン体の（ａ）正面図、（ｂ）側面図
【図１４】図１３の（ａ）Ａ−Ａ線断面図、（ｂ）Ｂ−Ｂ線断面図
【図１５】図１３の要部拡大図
【図１６】本実施の形態に係る別の第２のファン体の要部拡大図
【図１７】本実施の形態に係るクロスフローファンの構成の他の一例を示す断面図
【図１８】本実施の形態に係るクロスフローファンの構成の他の一例を示す断面図
【図１９】本実施の形態に係るクロスフローファンの構成の他の一例を示す断面図
【発明を実施するための形態】
【００１３】
本発明の空気調和機は、両端部に設けられた端板と、第１のファン体と、第２のファン体とを、直列に連結した構成を有し、前記第１のファン体は、環状に配置された複数枚の翼と、開口部とを有する支持板とを備え、前記第２のファン体は、環状に配置された複数枚の翼と、開口部を有しない支持板とを備え、前記第１のファン体と前記第２のファン体のいずれか一方の支持板は、外周部に溝が設けられるように構成されている。
【００１４】
この構成によれば、端板に隣接する支持板は開口部を有しないので、当該支持板により、クロスフローファンの少なくとも一方の端部近傍に発生した空気流の乱れがクロスフローファンの中央部側へ伝播することを抑制することができる。したがって、耳障りな異常音の発生を抑えることができる。また、支持板に開口部を有するファン体と有しないファン体とを、溝により明確に区別することができる。このため、それらを組み立てる際に当該組み立ての順番を誤ることを防止することができる。その結果、生産性を向上させるこ
とができる。
【００１５】
なお、前記支持板は、隣接する翼の端部が差し込まれる挿入溝を複数、備え、前記溝は、前記挿入溝同士の間に設けられたことが好ましい。この構成によれば、翼を差し込むための挿入溝と外周部の溝とが重複することを避けることができ、容易に成型することができる。
【００１６】
なお、前記溝は、前記翼の枚数の１を除く約数となる個数、設けられたことが好ましい。この構成によれば、溝を翼の間に設けることが容易となる。
【００１７】
なお、前記溝は、前記挿入溝の凹み方向と同じ方向に凹むとともに、支持板の外周端で開口することが好ましい。この構成によれば、ファン体に溝や挿入溝を成型するのが容易となる。また、ファン体を軸方向と平行な面から見た際にも、溝の有無が確認できる。これにより、ファン組み立て時に、簡単に目視で確認することができ生産性が向上する。
【００１８】
なお、前記第１のファン体と前記第２のファン体は、軸方向の長さが異なることが望ましい。この構成によれば、支持板に開口部を有するファン体と有しないファン体とを、軸方向長さにより明確に区別することができる。
【００１９】
なお、前記第１のファン体の軸方向長さは、前記第２のファン体の軸方向長さの２．７〜３．１倍であることが望ましい。この構成によれば、支持板に開口部を有するファン体と有しないファン体とを、軸方向の長さが異なるグループに分類することで、明確に区別することができる。
【００２０】
なお、前記クロスフローファンは、複数の第１のファン体と２つの第２のファン体とを備え、前記複数の第１のファン体はそれぞれ同じ軸方向長さであり、前記２つの第２のファン体はそれぞれ異なる軸方向長さであることが望ましい。この構成によれば、端板に隣接する支持板は開口部を有しないので、当該支持板により、クロスフローファンの少なくとも一方の端部近傍に発生した空気流の乱れがクロスフローファンの中央部側へ伝播することを抑制することができる。したがって、耳障りな異常音の発生を抑えることができる。
【００２１】
なお、前記第２のファン体は、一方の端板に隣接するとともに、他方の端板とは環状に配置された複数枚の翼を介して連結されたことが望ましい。この構成によれば、
なお、前記開口部は、前記クロスフローファンの回転軸を中心とする円形の開口部であることが望ましい。この構成によれば、クロスフローファンの回転により開口部を有する支持板が回転したときに、当該支持板により空気流に変動が生じることを抑えることができる。これにより、空力特性に悪影響を与えず、異常音の発生をより一層抑えることができる。
【００２２】
以下、本発明の実施の形態について、図面を参照しながら説明する。なお、本実施の形態によって本発明が限定されるものではない。
【００２３】
（実施の形態）
本発明の実施の形態にかかるクロスフローファンを備えた空気調和機は、冷媒配管で互いに接続された室外機と室内機とで構成されている。図１は、本発明の実施の形態にかかるクロスフローファンを備えた空気調和機の室内機を示す斜視図である。図２は、図１の室内機を、クロスフローファンの回転軸方向から見た模式断面図である。
【００２４】
図１および図２において、本実施の形態にかかる空気調和機の室内機本体２１は、台枠
２２と、この台枠２２の前方に取り付けられた前面カバー２３とを備えている。台枠２２および前面カバー２３の上部には、吸い込みグリル２４が設けられている。また、室内機本体２１内には、クロスフローファン２５と、熱交換器２６と、スタビライザ２７と、リアガイダ２８とが設けられている。
【００２５】
クロスフローファン２５は、回転軸２５Ａを中心として回転自在に構成されている。熱交換器２６は、クロスフローファン２５の前部および上部を囲むように配置されている。スタビライザ２７とリアガイダ２８とは、ケーシング２９を構成し、両者の間には空気を吹き出す吹き出し口４０が形成されている。
【００２６】
リアガイダ２８とクロスフローファン２５とは、それぞれクロスフローファン２５の回転軸方向（図２の紙面に対して垂直方向）に設けられている。これにより、両者が斜交するなど位置関係が変化するものに比べて２次元性が高くなっている。このため、空力特性が向上している。
【００２７】
スタビライザ２７は、熱交換器２６で凝結した結露水を受けるように熱交換器２６の下方に配置されている。スタビライザ２７の上端部には、凸状部３０が設けられている。凸状部３０は、スタビライザ２７をクロスフローファン２５の回転軸方向から見たとき、スタビライザ２７の中でクロスフローファン２５との離間距離が最も短い部位である。すなわち、凸状部３０は、スタビライザ２７の中でクロスフローファン２５に最も近接している部位である。また、スタビライザ２７には、リアガイダ２８に最も近接する部分に、略円弧状の舌部３１が設けられている。
【００２８】
図３は、凸状部３０の近傍の拡大図であり、クロスフローファン２５の動作時の空気の流れを示す図である。図３に示すように、クロスフローファン２５が回転軸２５Ａを中心として回転（図３では時計回りに回転）すると、凸状部３０がクロスフローファン２５の吸い込み側（上流側）と吹き出し側（下流側）を隔てる隔壁として機能し、クロスフローファン２５の内部に渦Ａが形成される。
【００２９】
ここで、空気流の乱れ（サージング）が発生していないとき（以下、通常時という）においては、空気流は舌部３１から凸状部３０へ流れ、舌部３１と凸状部３０との間から空気流がクロスフローファン２５内に出入りをすることはない。したがって、図２に示す位置で渦Ａが定在する。
【００３０】
しかしながら、空気流の乱れ（サージング）が発生したとき（以下、サージング発生時という）においては、空気流が舌部３１と凸状部３０との間からクロスフローファン２５内に出入りするなどして、渦Ａの大きさおよび位置に変化が生じる。
【００３１】
図４は、クロスフローファン２５の内部構造を示す斜視図である。図５は、クロスフローファン２５を室内機本体２１が備える側壁３３に取り付けた状態を模式的に示す正面図である。
【００３２】
図４および図５に示すように、クロスフローファン２５は、両端部に設けられた端板２５ｆと、複数個のファン体２５ｃを直列に連結した構成を有している。ファン体２５ｃは、環状に配置された複数枚の翼（ブレード）を有する羽根車２５ｂの少なくとも一方の端部に支持板２５ａが取り付けられた構成を有する。本実施の形態において、支持板２５ａ、端板２５ｆの外形は円形である。また、羽根車２５ｂの複数枚の翼は、クロスフローファン２５の回転軸方向に延在し、支持板２５ａまたは端板２５ｆの外周部に取り付けられている。なお、ファン体２５ｃは、支持板２５ａと羽根車２５ｂとを一体として、射出成型により形成されることが望ましい。
【００３３】
図５に示すように、クロスフローファン２５の両端部は、室内機本体２１の側壁３３に回転自在に支持されている。クロスフローファン２５の一方の端部（図５では右側端部）には、クロスフローファン２５を回転させるためのモータ３２が取り付けられている。
【００３４】
通常時においては、クロスフローファン２５の内部には、ほぼ２次元流れが形成される。これに対して、サージング発生時においては、クロスフローファン２５の両端部近傍の２次元流れがくずれて、３次元流れが生じる。このクロスフローファン２５の両端部近傍に生じた３次元流れは、クロスフローファン２５の中央部側へ伝播し、その結果、クロスフローファン２５の両端部近傍とは異なる箇所にも３次元流れが形成される。この３次元流れは、耳障りな異常音の原因となり得る。
【００３５】
そのため、本実施の形態では、クロスフローファン２５の両端部に位置するファン体２５ｃと当該両端部のファン体２５ｃに隣接するファン体２５ｃとの連結部に位置する支持板２５ａ１は開口部２５ｅを有しない一方で、当該支持板２５ａ１以外の支持板２５ａ２は開口部２５ｅを有するように構成している。換言すると、クロスフローファン２５の両端部に位置する端板２５ｆに羽根車２５ｂを介して隣接する支持板２５ａ１は開口部２５ｅを有しない一方で、当該支持板２５ａ１以外の支持板２５ａ２は開口部２５ｅを有するように構成している。
【００３６】
この構成によれば、支持板２５ａ１は開口部２５ｅを有しないので、当該支持板２５ａ１により、クロスフローファン２５の両端部近傍に発生した３次元流れがクロスフローファン２５の中央部側へ伝播することを抑制することができる。したがって、耳障りな異常音の発生を抑えることができる。
【００３７】
また、前記構成によれば、特許文献１の空気調和機のように吹き出し口にブロックを設ける必要がないので、吹き出し口４０の通風抵抗が増加することを避けることもできる。また、支持板２５ａに開口部２５ｅを設けることにより、クロスフローファン２５の製造に要する材料消費を軽減することができ、低コストでクロスフローファン２５を製造することができる。
【００３８】
なお、本実施の形態では、開口部２５ｅを有しない支持板２５ａ１を２つ設けたが、本発明はこれに限定されず、開口部２５ｅを有しない支持板２５ａ１を１つのみ設けるようにしてもよい。この場合でも、クロスフローファン２５の一方の端部近傍に発生した３次元流れがクロスフローファン２５の中央部側へ伝播することを抑制することができるので、従来よりも、吹き出し口４０の通風抵抗の増加および耳障りな異常音の発生を抑えることができる。なお、この場合には、支持板２５ａ１を、モータ３２が接続される側の端板２５ｆ側に設けることが望ましい。モータ３２が接続される側では、モータ３２やモータ３２に電気的に接続された電源部（図示せず）が存在することにより、空気流の乱れが生じやすい。しかし、支持板２５ａ１を設けることで、３次元流れがクロスフローファン２５の中央部側へ伝播することを抑制し、耳障りな異常音の発生を抑えることができる。
【００３９】
また、開口部２５ｅを有しない支持板２５ａ１は、３つ以上設けられてもよい。例えば、図４に示す支持板２５ａ１に隣接する支持板２５ａ２を、開口部２５ｅを有しない支持板２５ａ１に置き換えてもよい。この場合、クロスフローファン２５の両端部近傍に発生した３次元流れがクロスフローファン２５の中央部側へ伝播することをより一層抑制することができる。但し、開口部２５ｅを有しない支持板２５ａ１の数が多くなると、当該支持板２５ａ１による摩擦抵抗を無視できなくなり、空力特性が悪化するおそれがある。特に、開口部２５ｅを有しない支持板２５ａ１を、クロスフローファン２５の中央部近傍に配置すると、空力特性に悪影響を与える可能性がある。このため、本実施の形態のように
、開口部２５ｅを有しない支持板２５ａ１をクロスフローファン２５の両端部側の２箇所のみに設けることが最も好ましい。
【００４０】
なお、開口部２５ｅは、クロスフローファン２５の回転軸２５Ａを中心とする円形の開口部であることが好ましい。この構成によれば、クロスフローファン２５の回転により支持板２５ａ２が回転したときに、当該支持板２５ａ２により空気流に変動が生じることを抑えることができる。これにより、空力特性に悪影響を与えず、異常音の発生をより一層抑えることができる。したがって、より静音で空力特性の高い空気調和機を提供することができる。
【００４１】
なお、耳障りな異常音の原因となる空気流の乱れは、クロスフローファン２５の両端部から当該クロスフローファン２５の全長の５％未満の範囲に生じやすい。このため、クロスフローファン２５の少なくとも一方の端部からクロスフローファン２５の全長の５％以上離れた位置に、開口部２５ｅを有しない支持板２５ａ１が設けられることが好ましい。
【００４２】
この構成によれば、支持板２５ａ１により、クロスフローファン２５の少なくとも一方の端部近傍に発生した空気流の乱れがクロスフローファン２５の中央部側へ伝播することをより効果的に抑えることができる。したがって、耳障りな異常音の発生を一層抑えることができる。
【００４３】
また、クロスフローファン２５の一方の端部には、当該クロスフローファン２５を回転させるためのモータ３２が取り付けられている。このモータ３２は、例えば、クロスフローファン２５のボス（図示せず）に回転軸が挿入された後、ビスなどの固定部材により固定される。この場合、ボスおよび固定部材を設けるために、クロスフローファン２５の一方の端部に位置するファン体２５ｃの羽根車２５ｂの翼を少なくとも一枚欠損させる必要がある。翼を欠損させると、クロスフローファン２５の一方の端部に生じる空気流の乱れが大きくなる。このため、クロスフローファン２５の少なくとも一方の端部からクロスフローファン２５の全長の１０％以上離れた位置に、開口部２５ｅを有しない支持板２５ａ１が設けられることが好ましい。
【００４４】
この構成によれば、支持板２５ａ１により、クロスフローファン２５の少なくとも一方の端部近傍に発生した空気流の乱れがクロスフローファン２５の中央部側へ伝播することをより効果的に抑えることができる。したがって、耳障りな異常音の発生を一層抑えることができる。
【００４５】
次に、図７〜図１０Ｂを用いて、従来の一般的なクロスフローファン３５の構成について説明する。図７は、従来のクロスフローファン３５の構成を示す断面図である。図８Ａ〜図１０Ｂは、従来のクロスフローファン３５を構成する各部品の平面図又は断面図である。
【００４６】
図７に示すように、従来のクロスフローファン３５は、軸側組み立て体３５ａと、複数個のファン体３５ｂと、ボス側組み立て体３５ｃとを備えている。
【００４７】
図８Ａ及び図８Ｂに示すように、軸側組み立て体３５ａは、円形の端板３５ａ１と、端板３５ａ１の一方の面の中心部に立設され、クロスフローファン３５の回転軸となる回転軸３５ａ２とを備えている。
【００４８】
図９Ａ及び図９Ｂに示すように、ファン体３５ｂは、円形の支持板３５ｂ１と、支持板３５ｂ１の一方の面の外周部に立設された複数枚の翼（ブレード）３５ｂ２とを備えている。
【００４９】
図１０Ａ及び図１０Ｂに示すように、ボス側組み立て体３５ｃは、円形の端板３５ｃ１と、端板３５ｃ１の一方の面の外周部に立設された複数枚の翼（ブレード）３５ｃ２と、端板３５ｃ１の他方の面の中心部に立設され、モータ３２の軸が取り付けられるボス３５ｃ３とを備えている。
【００５０】
また、軸側組み立て体３５ａ及びボス側組み立て体３５ｃには、翼３５ｂ２又は３５ｃ２を差し込むための挿入溝（図示せず）が設けられている。クロスフローファン３５の組み立ては、軸側組み立て体３５ａの挿入溝に翼３５ｂ２の端部を差し込むとともに、ファン体３５ｂの挿入溝にブレード３５ｂ２又は３５ｃ２の端部を差し込んだ後、当該差し込み箇所を超音波などにより溶着することにより行われる。
【００５１】
次に、図１１〜図１３を用いて、本実施の形態に係るクロスフローファン４５の構成の一例について説明する。図１１は、本実施の形態に係るクロスフローファン４５の構成の一例を示す断面図である。図１２Ａは、本実施の形態に係るクロスフローファン４５の一部を構成するファン体４５ｂの平面図であり、図１２Ｂは、ファン体４５ｂの断面図である。
【００５２】
本実施の形態に係るクロスフローファン４５が従来のクロスフローファン３５と異なる点は、図１１に示すように、中央部側に配置された複数個のファン体３５ｂを、ファン体４５ｂに置き換えた点である。ファン体４５ｂがファン体３５ｂと異なる点は、図１２Ａ及び図１２Ｂに示すように、円形の支持板３５ｂ１の中央部に開口部を設けている点である。すなわち、本実施の形態に係るクロスフローファン４５においては、中央部近傍には開口部を有するファン体（以下、第１のファン体とよぶ）４５ｂを用い、両端部には開口部を有しないファン体（以下、第２のファン体とよぶ）３５ｂを用いるようにしている。
【００５３】
この構成によれば、第２のファン体３５ｂの支持板３５ｂ１は開口部を有しないので、当該支持板３５ｂ１により、クロスフローファン４５の両端部近傍に発生した３次元流れがクロスフローファン４５の中央部側へ伝播することを抑制することができる。したがって、耳障りな異常音の発生を抑えることができる。また、クロスフローファン４５の中央部近傍の第１のファン体４５ｂの支持板４５ｂ１が開口部を有することにより、クロスフローファン４５の中央部の風量を増加させて、送風性能を向上させることができる。
【００５４】
図１３（ａ）は、第２のファン体３５ｂの正面図であり、図１３（ｂ）は、第２のファン体３５ｂの側面図である。図１４（ａ）は、第２のファン体３５ｂの図１３（ａ）におけるＡ−Ａ線断面図であり、図１４（ａ）は、第２のファン体３５ｂの図１３（ａ）におけるＢ−Ｂ線断面図である。図１５（ａ）は、第２のファン体３５ｂの要部拡大正面図であり、図１５（ｂ）は、第２のファン体３５ｂの要部拡大側面図である。
【００５５】
第１のファン体４５ｂ及び第２のファン体３５ｂには、隣接するファン体またはボス側組み立て体の翼３５ｂ２または３５ｃ２を差し込むための挿入溝６０が設けられている。なお、クロスフローファン４５の組み立ては、軸側組み立て体３５ａの挿入溝に翼３５ｂ２の端部を差し込むとともに、第１のファン体４５ｂや第２のファン体３５ｂの挿入溝６０に翼３５ｂ２又は３５ｃ２の端部を差し込んだ後、当該差し込み箇所を超音波などにより溶着することにより行われる。
【００５６】
また、図１３〜図１５に示すように、第２のファン体３５ｂは、支持板３５ｂ１の外周部に、溝５０を備えている。溝５０は、支持板３５ｂ１の外周部に等間隔（等ピッチ）で設けられている。例えば、図１３（ｂ）や図１４（ｂ）に示すように、７２°ごとに設けられている。溝５０は、複数の挿入溝６０の間に位置するように設けられている。溝５０
は、第２のファン体３５ｂの支持板３５ｂ１の外周部を切り欠いた溝である。
【００５７】
また、溝５０は支持板３５ｂ１の外周部（円弧）から支持板３５ｂ１の軸（中心）方向に凹む溝である。溝５０は、支持板３５ｂ１の外周面と一方の側面とで開口している。溝５０の形状は、片側が円形状となる略直方体である。また、溝５０は、翼を挿入するための挿入溝と同じ方向に凹となっている。
【００５８】
さらに、溝５０の個数は、翼の個数の約数となる個数（但し１は除く）としている。このような個数にすることにより、すべての溝５０を翼の間に設けることが可能となる。例えば、図１３（ｂ）や図１４（ｂ）に示すように、翼の枚数は３５枚とし、溝５０の個数は５個としている。すなわち、溝５０の個数５個は、翼の枚数３５枚の約数となっている。さらに、溝５０の個数を３個以上とすれば、ファン体を正面（ファン体の軸方向と平行な面）から見た際にも確実に１個は目視できるので望ましい。さらに、溝５０の個数を翼の枚数の１／７以下の個数とすれば、翼の配列がランダムピッチであっても、概ね溝５０を翼の間に設けることが可能である。このように、溝５０を翼の間に設けることにより、翼を差し込むための挿入溝６０との重複を避けることができ、容易に成型することができる。
【００５９】
第２のファン体３５ｂに溝５０を設け、第１のファン体４５ｂには溝５０を設けないことで、第２のファン体３５ｂと第１のファン体４５ｂとを明確に区別することができる。このため、それらを組み立てる際に当該組み立ての順番を誤ることを防止することができる。その結果、生産性を向上させることができる。
【００６０】
特に、図１５に示すように、溝５０を挿入溝６０と同じ方向に凹むように設けることにより、ファン体に溝５０や挿入溝６０を成型するのが容易となる。また、溝５０が支持板３５ｂ１の外周の面で開口することにより、ファン体を正面（ファン体の軸方向と平行な面）から見た際にも、溝５０の有無が確認できる。これにより、ファン組み立て時に、簡単に目視で確認することができ生産性が向上する。
【００６１】
なお、本実施の形態では、溝５０は第２のファン体３５ｂに設け、第１のファン体４５ｂには設けないものとして説明したが、第１のファン体４５ｂに設け、第２のファン体３５ｂには設けないものとしてもよい。つまり、第１のファン体４５ｂと第２のファン体３５ｂのいずれか一方に設ければよい。
【００６２】
次に、溝５０の変形例について、図１６を用いて説明する。図１６（ａ）は、第２のファン体３５ｂの変形例における要部拡大正面図であり、図１６（ｂ）は、第２のファン体３５ｂの変形例における要部拡大側面図である。図１５に示した溝５０は、支持板３５ｂ１の半径方向における溝幅Ｗ０が一定であるのに対し、図１６に示した溝５１は、支持板３５ｂ１の半径方向における溝幅Ｗ１が、支持板３５ｂ１の外周に向かうほど大きくなっている。このため、ファン組み立て時に、より簡単に目視で確認することができ生産性が向上する。また、挿入溝６０に近い支持板３５ｂ１の中心側ほど、溝５１の幅Ｗ１は小さくなっているので、翼を差し込むための挿入溝６０との間に十分な間隔を確保でき、容易に成型することができる。
【００６３】
次に、図１７〜図１９を用いて、本実施の形態に係るクロスフローファンの構成の他の一例について説明する。図１７〜図１９は、本実施の形態に係るクロスフローファンのファン体の軸方向長さ、または、支持板のピッチを説明するための断面図である。
【００６４】
図１７に示したクロスフローファンでは、軸方向長さがＬ１である第２のファン体３５ｂが、左から１番目、右から２番目に配置されている。つまり、２つの第２のファン体３
５ｂは、同じ軸方向長さを有し、一方は軸側組み立て体３５ａに隣接し、他方はボス側組み立て体３５ｃに隣接するように配置されている。軸方向長さがＬ２である第１のファン体４５ｂは、２つの第２のファン体３５ｂの間に複数、配置されている。
【００６５】
このように、第１のファン体４５ｂと第２のファン体３５ｂとで軸方向長さを異ならせる、つまり、ファン体が有する支持板の開口部の有無によって軸方向長さを変えることにより、ファン体の識別及び組み立てが容易になり生産性が向上する。さらに、ファン体の軸方向長さを変えることにより、クロスフローファンから発する騒音のランダム性が顕著となり、回転音あるいは翼枚数と回転数に依存するＮＺ音が緩和される。
【００６６】
さらに他の構成について説明する。図１８に示したクロスフローファンでは、軸方向長さがＬ１である第２のファン体３５ｂが左から１番目に配置され、軸方向長さがＬ２である第２のファン体３５ｄが右から２番目に配置されている。つまり、軸方向長さＬ１の第２のファン体３５ｂが軸側組み立て体３５ａに隣接し、軸方向長さＬ３の第２のファン体３５ｄがボス側組み立て体３５ｃに隣接するように配置されている。軸方向長さがＬ２である第１のファン体４５ｂは、第２のファン体３５ｂと第２のファン体３５ｄとの間に複数、配置されている。Ｌ３は、Ｌ２よりＬ１に近い値としている。
【００６７】
このように、第１のファン体４５ｂと第２のファン体３５ｂ、３５ｄとで軸方向長さを異ならせる、つまり、ファン体が有する支持板の開口部の有無によって軸方向長さを変えることにより、ファン体の識別及び組み立てが容易になり生産性が向上する。なお、Ｌ１、Ｌ３は、凡そ同じ長さであり、たとえ混同しても開口部を有しない支持板がクロスフローファンの左右に配置されることになり大きな支障は無い。また、このように、第２のファン体３５ｂと第２のファン体３５ｄの軸方向長さを異ならせることで、クロスフローファン全体の長さの調整が容易となる。さらに、ファン体の軸方向長さを変えることにより、クロスフローファンから発する騒音のランダム性がより顕著となり、回転音あるいは翼枚数と回転数に依存するＮＺ音がより緩和される。
【００６８】
さらに他の構成について説明する。図１９は、軸方向長さがＬ１である第２のファン体３５ｂが左から１番目に配置され、軸方向長さがＬ７である第２のファン体３５ｅが右から２番目に配置されている。つまり、軸方向長さＬ１の第２のファン体３５ｂが軸側組み立て体３５ａに隣接し、軸方向長さＬ７の第２のファン体３５ｅがボス側組み立て体３５ｃに隣接するように配置されている。軸方向長さがＬ２〜Ｌ６である第１のファン体４５ｂ〜４５ｄは、第２のファン体３５ｂと第２のファン体３５ｅとの間に配置されている。軸方向長さＬ１〜Ｌ７は、長い物、短い物の２種のグループに分類できるように設定されている。例えば、下記のように分類できるように設定する。
２０ｍｍ＜Ｌ１，Ｌ７＜２２ｍｍ
６０ｍｍ＜Ｌ２、Ｌ３、Ｌ４、Ｌ５、Ｌ６＜６２ｍｍ
つまり、Ｌ２〜Ｌ６は、Ｌ１、Ｌ７より十分長く設定されており、２．７〜３．１倍であることが望ましい。
【００６９】
このような構成にすれば、支持板の開口部の有無の配置を容易に識別できるため、生産性が向上する。また、クロスフローファン全体の長さの調整がより容易となる。さらに、ファン体の長さを変えることにより、クロスフローファンから発する騒音のランダム性がより顕著となり、回転音あるいは翼枚数と回転数に依存するＮＺ音がより緩和される。
【産業上の利用可能性】
【００７０】
以上のように、本発明にかかる空気調和機は、吹き出し口の通風抵抗を増加させることなく、耳障りな異常音の発生を抑えることができるので、壁掛け式のみならず各種の空気調和機の用途に適用できる。
【００７１】
本発明は、添付図面を参照しながら好ましい実施の形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【符号の説明】
【００７２】
２１  室内機本体
２２  台枠
２３  前面カバー
２４  吸い込みグリル
２５、４５  クロスフローファン
２５Ａ  回転軸
２５ａ、２５ａ１、２５ａ２、３５ｂ１、４５ｂ１  支持板
２５ｂ  羽根車
２５ｃ  ファン体
２５ｅ  開口部
２５ｆ  端板
２６  熱交換器
２７  スタビライザ
２８  リアガイダ
２９  ケーシング
３０  凸状部
３１  舌部
３２  モータ
３３  側壁
３５ａ  軸側組み立て体
３５ｂ、３５ｄ、３５ｅ  第２のファン体
３５ｃ  ボス側組み立て体
４０  吹き出し口
４５ｂ、４５ｃ、４５ｄ、４５ｅ、４５ｆ  第１のファン体
５０、５１  溝
６０  挿入溝
【図１】
2015203361.tif 000003
【図２】
2015203361.tif 000004
【図３】
2015203361.tif 000005
【図４】
2015203361.tif 000006
【図５】
2015203361.tif 000007
【図６】
2015203361.tif 000008
【図７】
2015203361.tif 000009
【図８Ａ】
2015203361.tif 000010
【図８Ｂ】
2015203361.tif 000011
【図９Ａ】
2015203361.tif 000012
【図９Ｂ】
2015203361.tif 000013
【図１０Ａ】
2015203361.tif 000014
【図１０Ｂ】
2015203361.tif 000015
【図１１】
2015203361.tif 000016
【図１２Ａ】
2015203361.tif 000017
【図１２Ｂ】
2015203361.tif 000018
【図１３】
2015203361.tif 000019
【図１４】
2015203361.tif 000020
【図１５】
2015203361.tif 000021
【図１６】
2015203361.tif 000022
【図１７】
2015203361.tif 000023
【図１８】
2015203361.tif 000024
【図１９】
2015203361.tif 000025